(57)【要約】    【課題】  選択された画像サイズに応じたプリントサイズを表示装置上で確認可能にすると共に撮影時の操作性の向上を図ることができる電子撮像装置を提供する。    【解決手段】  液晶パネル１０６ｂで画像データが表示され、カメラカードに画像データが記録される場合に、画像データに関する複数の記録画像サイズの中から１つの記録画像サイズが選択され、選択された１つの記録画像サイズに対応した画像データを所定時間、液晶パネル１０６ｂに表示させ、所定時間経過後は元の画像サイズの画像データを液晶パネル１０６ｂに表示させるようにシステム制御部１０７により制御される。【選択図】      図１
2006129287.tif 000002
【特許請求の範囲】
【請求項１】
画像データを表示する表示手段と、
前記画像データを記録する記録手段と、
前記画像データを前記記録手段に記録する場合に、前記画像データに関する複数の記録画像サイズの中から１つの記録画像サイズを選択する選択手段と、
前記選択手段により選択された１つの記録画像サイズに対応した画像データを所定時間、前記表示手段に表示させ、所定時間経過後は元の画像サイズの画像データを前記表示手段に表示させるように制御する制御手段と
を備えることを特徴とする電子撮像装置。
【請求項２】
前記制御手段は、前記選択手段により前記１つの記録画像サイズを選択したときに、画像データ領域と表示文字領域とを分けて前記表示手段に表示させるように制御することを特徴とする請求項１記載の電子撮像装置。
【請求項３】
前記表示手段が有機ＥＬ表示パネル又は液晶パネルであることを特徴とする請求項２記載の電子撮像装置。
【請求項４】
前記表示手段が有機ＥＬ表示パネルであるときに、前記制御手段は、前記表示文字領域における表示文字の輝度及び色の変更を行うことを特徴とする請求項３記載の電子撮像装置。
【請求項５】
画像データを表示する表示工程と、
前記画像データを記録手段に記録する場合に、前記画像データに関する複数の記録画像サイズの中から１つの記録画像サイズを選択する選択工程と、
前記選択工程により選択された１つの記録画像サイズに対応した画像データを所定時間、前記表示工程で表示させ、所定時間経過後は元の画像サイズの画像データを前記表示工程で表示させるように制御する制御工程と
を備えることを特徴とする電子撮像方法。
【請求項６】
前記制御工程は、前記選択工程により前記１つの記録画像サイズを選択したときに、画像データ領域と表示文字領域とを分けて前記表示工程で表示させるように制御することを特徴とする請求項５記載の電子撮像方法。
【請求項７】
記録手段を備える電子撮像装置で実行される電子撮像用プログラムにおいて、
画像データを表示する表示モジュールと、
前記画像データを前記記録手段に記録する場合に、前記画像データに関する複数の記録画像サイズの中から１つの記録画像サイズを選択する選択モジュールと、
前記選択モジュールにより選択された１つの記録画像サイズに対応した画像データを所定時間、前記表示モジュールで表示させ、所定時間経過後は元の画像サイズの画像データを前記表示モジュールで表示させるように制御する制御モジュールと
を備えることを特徴とする電子撮像用プログラム。
【請求項８】
前記制御モジュールは、前記選択モジュールにより前記１つの記録画像サイズを選択したときに、画像データ領域と表示文字領域とを分けて前記表示モジュールで表示させるように制御することを特徴とする請求項７記載の電子撮像用プログラム。
【発明の詳細な説明】
【技術分野】
【０００１】
本発明は、選択された画像サイズに応じたプリントサイズを表示装置上で確認可能な電子撮像装置、電子撮像方法及び電子撮像用プログラムに関する。
【背景技術】
【０００２】
従来デジタルカメラとプリンタが別々の装置で構成される場合、撮影時においてデジタルカメラは使用すべきプリンタを指定できないために、デジタルカメラの画角サイズで撮影を行い、プリント時にプリンタで印刷サイズを調整して撮影時の画角と印刷時の画角を合わせていた。
【０００３】
しかしながら、プリント時に画角合わせのため、撮影データの一部を切り出す方式では、撮影したにも関わらず印刷されない部分が生じていた。また、撮影データ本体が小さくなってしまったり、余白が大きくなり過ぎて、撮影時に意図した構図と実際のプリント画像の印象が異なるという問題があった。そこで、プリンタによる印刷可能領域を示すプリント枠がデジタルカメラの液晶モニタに表示されている（例えば、特許文献１参照。）。
【０００４】
以下、図５により従来の電子撮像装置の液晶モニタにおける表示方法について説明する。
【０００５】
図５（Ａ）に示すような映像を撮影する場合、撮影時とプリント時の画角差により、プリント時に撮影データの一部が印刷されない場合があった。
【０００６】
そこで、撮影画角とプリンタ画角の画角差による画像切れなどを防止するために撮影者に対して撮影時にプリントイメージを正確に伝える必要があった。このため、図５（Ｂ）に示すように、プリントアウトされる領域（プリント画角）を示すプリント枠５１が点線で電子撮像装置の液晶モニタに表示され、プリント可能領域であることを明示する「PRINT」という文字表示５３がプリント枠５１に付加される。このとき、カメラの記録エリアを示す撮影枠５２をプリント枠５１と共に液晶モニタに表示する。
【特許文献１】特開２００１−１２８１１２号公報
【発明の開示】
【発明が解決しようとする課題】
【０００７】
しかしながら、カメラカード記録モードで複数の画像サイズを選択することが可能な場合に、画像サイズを選択しても実際に撮影される画像サイズを確認することができず、撮影者が認識している画像サイズがプリントサイズに合っているか否かは、プリントアウトした画像でしか確認することができない。
【０００８】
同じようにプリンタ付きカメラでは、画像の画角とプリント画像の画角とが合ってないことを未然に防ぐためにプリント枠を撮影確認装置に表示する方法もある。しかし、画面内にプリント枠が表示されるため画面が見にくいという問題が生じていた。
【０００９】
本発明は、選択された画像サイズに応じたプリントサイズを表示装置上で確認可能にすると共に撮影時の操作性の向上を図ることができる電子撮像装置を提供することを目的とする。
【課題を解決するための手段】
【００１０】
上記目的を達成するため、請求項１記載の電子撮像装置は、画像データを表示する表示手段と、前記画像データを記録する記録手段と、前記画像データを前記記録手段に記録する場合に、前記画像データに関する複数の記録画像サイズの中から１つの記録画像サイズを選択する選択手段と、前記選択手段により選択された１つの記録画像サイズに対応した画像データを所定時間、前記表示手段に表示させ、所定時間経過後は元の画像サイズの画像データを前記表示手段に表示させるように制御する制御手段とを備えることを特徴とする。
【００１１】
上記目的を達成するため、請求項５記載の電子撮像方法は、画像データを表示する表示工程と、前記画像データを記録手段に記録する場合に、前記画像データに関する複数の記録画像サイズの中から１つの記録画像サイズを選択する選択工程と、前記選択工程により選択された１つの記録画像サイズに対応した画像データを所定時間、前記表示工程で表示させ、所定時間経過後は元の画像サイズの画像データを前記表示工程で表示させるように制御する制御工程とを備えることを特徴とする。
【００１２】
上記目的を達成するため、請求項７記載の電子撮像用プログラムは、記録手段を備える電子撮像装置で実行される電子撮像用プログラムにおいて、画像データを表示する表示モジュールと、前記画像データを前記記録手段に記録する場合に、前記画像データに関する複数の記録画像サイズの中から１つの記録画像サイズを選択する選択モジュールと、前記選択モジュールにより選択された１つの記録画像サイズに対応した画像データを所定時間、前記表示モジュールで表示させ、所定時間経過後は元の画像サイズの画像データを前記表示モジュールで表示させるように制御する制御モジュールとを備えることを特徴とする。
【発明の効果】
【００１３】
本発明によれば、画像データを記録手段に記録する場合に、画像データに関する複数の記録画像サイズの中から１つの記録画像サイズが選択され、選択された１つの記録画像サイズに対応した画像データを所定時間、表示手段に表示させ、所定時間経過後は元の画像サイズの画像データを表示手段に表示させるように制御されるので、選択された画像サイズに応じたプリントサイズを表示装置上で確認可能にすることができる。また、画像サイズの表示は一定時間表示させその後初期の画像サイズに戻るので、撮影時の操作性の向上を図ることができる。
【発明を実施するための最良の形態】
【００１４】
以下、本発明を図面を参照して具体的に説明する。
【００１５】
図１は、本発明の実施の形態である電子撮像装置の構成を示すブロック図である。
【００１６】
図１において、レンズ部１０１は、被写体像を入光するものであり、撮像素子１０２は、レンズ部１０１から入光した被写体像を光電変換する。カメラ信号処理部１０３は、撮像素子１０２からの出力信号をマトリクス処理することによって輝度信号及び色差信号を生成し、ガンマ処理やＡ／Ｄ変換などの処理が実行される。カメラ信号処理部１０３は、メインＣＰＵ１０３ａ、絞り駆動回路１０３ｂ、レンズ駆動回路１０３ｃ、ＣＣＤ駆動回路１０３ｄ、及びカメラ信号の色処理回路１０４ｅを備えている。
【００１７】
表示信号生成部１０４はカメラ信号処理部１０３からの信号を所定のフォーマットに変換して画像を表示させるための信号を生成する。記録再生部１０５は、表示信号生成部１０４で生成された信号を記録し、該記録された信号を再生するときには、該記録された信号を表示信号生成部１０４に読み出す。記録再生部１０５は、表示信号生成部１０４で生成された信号を記録し、該記録された信号を再生するときには、該記録された信号を表示信号生成部１０４に読み出す。カード記録再生部１１０は、表示信号生成部１０４で生成された信号をコンパクトフラッシュ（登録商標）等のカメラカードに記録し、該記録された信号を再生するときには、該記録された信号をカメラカードから表示信号生成部１０４に読み出す。
【００１８】
液晶表示部１０６は、液晶駆動回路１０６ａと、液晶パネル１０６ｂと、及び液晶パネル１０６ｂの背面から光を照射するための照明光源１０６ｃとによって構成され、液晶駆動回路１０６ａは、表示信号生成部１０４によって生成された信号に基づいて撮像素子１０２によって撮像された画像が表示される。ＥＥＰＲＯＭ１０６ｄは液晶駆動回路１０６ａの調整値データをシステムコントローラ１０７のＲＡＭ部１０７ｃに一度格納し、格納が終了したところでＥＥＰＲＯＭ１０６ｄに保存する。
【００１９】
また、電子撮像装置はさらに、不図示の覗くタイプの小型液晶表示部を備えており、液晶表示部１０６と同様に、小型液晶パネル、液晶駆動回路、照明光源、及び表示駆動部の調整値データを書き込むＲＡＭといった構成になっている。
【００２０】
ＥＥＰＲＯＭ１０６ｄは、特に液晶表示部１０６や小型液晶表示部（不図示）内に備えていなくてもよく、かかる場合には、システム制御部１０７がＥＥＰＲＯＭ、これに相当するフラッシュメモリ、又はＲＡＭ部等を備えていてもよい。また、液晶パネル１０６ｂを表示駆動するための液晶駆動回路１０６ａ、及び小型液晶パネルを表示駆動するための不図示の液晶駆動回路等は別々に駆動するのではなくどちらか一方で両方の液晶パネルを駆動しても良い。これにより、複数の液晶表示部で液晶駆動回路、照明光源、及びＥＥＰＲＯＭを１つ備える構成とすることができ、コストの低減を図ることができる。
【００２１】
制御部１０７は、メモリコントローラ１０７ａと、システムコントローラ１０７ｂと、ＲＡＭ部１０７ｃと、フレームメモリ１０７ｄとを備えており、メモリコントローラ１０７ａは、カメラ信号処理部１０３から入力される画像データをフレームメモリ１０７ｄに記録し、逆にフレームメモリ１０７ｄに記録された画像データをカメラ信号処理部１０３に出力する。フレームメモリ１０７ｄはシステム制御部１０７に内蔵されている必要はなく、外付けされていてもよい。
【００２２】
システムコントローラ１０７ｂは、操作部１０９のスイッチ操作に基づいて各部の動作の制御を行っており、自動露出（ＡＥ：Automatic Exposure）、オートホワイトバランス（ＡＷＢ：Auto White Balance）、及びオートフォーカス（ＡＦ：Automatic Focus）等の処理を、全て撮像面のデータを用いて実行する。また、撮像素子２の駆動制御も実行する。
【００２３】
これらの処理は、カメラ信号処理部１０３のメインＣＰＵ１０３ａが供給されたデータに基づいて演算処理を行い、絞り駆動回路１０３ｂ、レンズ駆動回路１０３ｃ、ＣＣＤ駆動回路１０３ｄ及びカメラ信号の色処理回路１０３ｅの制御と、表示駆動部１０６ａ及びバックライト１０６ｃの点灯などの制御とを実行することで実現される。また、システムコントローラ１０７ｂは、操作部１０９により、不図示の電源スイッチＯＮ／ＯＦＦの操作状態に応じて各部を制御し、また、必要な情報を液晶パネル１０６ｂに表示する。
【００２４】
ここでは、システムコントローラ１０７ｂが撮像装置全体を制御する場合を例示したが、サブＣＰＵとメインＣＰＵとで分担する構成としてもよい。
【００２５】
モード切り替えスイッチ１０８は、カメラカード記録モードとカメラカード再生モードの切り替えを行い、カメラカード記録モードでは撮影する複数の画像サイズの選択がメニューなどで行われる。この画像サイズの選択は、その画像サイズを液晶パネル１０６ｂに表示するために行われる。
【００２６】
図２は、カメラカード記録モードで複数の画像サイズの中から撮影者が選択した画像サイズが液晶パネル１０６ｂにどのように表示されるのかを示す図である。
【００２７】
図２（Ａ）は液晶パネル１０６ｂに表示されるオリジナル画像の一例を示す。図２（Ｂ）は選択メニューから選択された記録画像サイズを液晶パネル１０６ｂに表示した場合の一例を示す。この記録画像サイズの表示は、録画ポーズ又は構図の確認に必要な時間のみ表示される（例えば、１５秒間）。この記録画像サイズの表示は、操作部の所定のボタンを押下することで表示できるようにしてもよい。図２（Ｂ）では、液晶パネル１０６ｂの中心領域２０が記録画像サイズを示し、周辺領域２１は画面非表示部分（つまり、画像として記録されない部分）を示す。
【００２８】
図２（Ｃ）は、一定時間経過後、選択された記録画像サイズの大きさに関係なく、再度オリジナル画像を液晶パネル１０６ｂに表示する例を示す。
【００２９】
このように、選択された記録画像サイズの表示を一定時間行った後、該選択された記録画像サイズの大きさに関係なく、再度オリジナル画像を液晶パネル１０６ｂに表示するので、撮影者は記録画像サイズを認識することが可能となり、確認後は画像サイズを戻すことで撮影時の液晶パネルの見易さを損なうことなく撮影することができる。
【００３０】
図３は、カメラカード記録モードにおけるシステム制御部１０７の制御処理を示すフローチャートである。
【００３１】
まず、モード切り替えスイッチ１０８により設定されているモードがカメラカード記録モードであるか否かを判別する（ステップＳ３０）。
【００３２】
ステップＳ３０の判別の結果、モード切り替えスイッチ１０８により設定されているモードがカメラカード記録モードである場合には、液晶パネル１０６ｂに記録画像サイズの選択メニューを表示し（ステップＳ３２）、操作部１０９を介して選択メニューから選択された記録画像サイズが液晶パネル１０６ｂに表示される（ステップＳ３３）。これにより、撮影者は記録画像サイズを液晶パネル１０６ｂの表示で確認できる。
【００３３】
一方、上記ステップＳ３０の判別の結果、モード切り替えスイッチ１０８により設定されているモードがカメラカード記録モードでない場合、即ちカメラカード再生モードである場合には、モード切り替えスイッチ１０８により設定されるモードがカメラカード記録モードに切り換えられたか否かを判別し（ステップＳ３１）、切り換えられた場合には、ステップＳ３２に進み、切り換えられていない場合には、本処理を終了する。
【００３４】
ステップＳ３３の処理が終了すると、カメラカードに画像信号の記録を開始するか否かを判別する（ステップＳ３４）。この判別は、操作部１０９から記録開始を示す信号を受信したか否かに基づいて実行される。
【００３５】
ステップＳ３４の判別の結果、カメラカードに画像信号の記録を開始する場合には、ステップＳ３３の記録画像サイズの表示が解除され、液晶パネル１０６ｂの全面に記録する画像が表示され（ステップＳ３５）、本処理は終了する。
【００３６】
ステップＳ３４の判別の結果、カメラカードに画像信号の記録を開始しない場合には、ステップＳ３３に戻る。
【００３７】
図４は、カメラカード記録モードで複数の画像サイズの中から撮影者が選択した画像サイズが液晶パネル１０６ｂにどのように表示されるのかを示す図であり、図２の変形例である。
【００３８】
図４（Ａ）は液晶パネル１０６ｂに表示されるオリジナル画像の一例を示す。図４（Ｂ）は、選択メニューから選択された記録画像サイズを表示するときに、オリジナル画像と選択メニューから選択された記録画像サイズとを同時に液晶パネル１０６ｂに表示する例を示す。図４（Ｂ）のように、画面の表示領域４１と文字表示領域４２とを分けて表示することで、撮影時の液晶パネル１０６ｂが見易くなり、撮影状況が分かりやすくなり、撮影時の操作性の向上を図ることができる。文字表示領域４２には、撮影状況を知らせる表示文字やアイコン等を表示することができる。画面の表示領域４１と文字表示領域４２との表示分割方法は縦割りでも横割りでもよく、また、画面の表示領域４１を液晶パネル１０６ｂの中心領域に表示し、文字表示領域４２液晶パネル１０６ｂの周辺領域に表示するようにしてもよい。表示分割方法については、撮影者が表示分割方法を選択できる機能を設けることが好ましい。また、文字表示領域４２のバック色は均一色とする。
【００３９】
本実施の形態では、液晶パネル１０６ｂを使用したが、液晶パネル１０６ｂの代わりに有機ＥＬ表示パネルを使用してもよい。有機ＥＬ表示パネルは、Ｒ，Ｇ，ＢのＬＥＤによる光源が画素ごとにあるため、表示文字やアイコンなどの色や輝度を強調することが可能である。特に、図４（Ｂ）のように、画面の表示領域５１と文字表示領域５２とを分けて表示したときには、有機ＥＬ表示パネルの画素ごとに光源を制御できるため、撮影者に撮影状況が分かるように表示文字やアイコン等に色を付けたり、輝度を上げる等により撮影状況を知らせ、警告表示も容易にでき、結果として操作性の向上を図ることが可能となる。
【００４０】
以上詳細に説明したように、本実施の形態によれば、画像データをカメラカードに記録する場合に、画像データに関する複数の記録画像サイズの中から１つの記録画像サイズが選択され、選択された１つの記録画像サイズに対応した画像データを所定時間、液晶パネル１０６ｂに表示させ、所定時間経過後は元の画像サイズの画像データを液晶パネル１０６ｂに表示させるように制御されるので、選択された画像サイズに応じたプリントサイズを表示装置上で確認可能にすることができる。また、画像サイズの表示は一定時間表示させその後初期の画像サイズに戻るので、撮影時の操作性の向上を図ることができる。
【００４１】
また、選択メニューから選択された記録画像サイズを表示するときに、画面の表示領域４１と文字表示領域４２とを分けて表示することで、撮影時の液晶パネル１０６ｂが見易くなり、撮影状況が分かりやすくなり、撮影時の操作性の向上を図ることができる。
【００４２】
さらに、液晶パネル１０６ｂの代わりに有機ＥＬ表示パネルが使用できるので、撮影者に撮影状況が分かるように表示文字やアイコン等に色を付けたり、輝度を上げる等により撮影状況を知らせ、警告表示も容易にでき、結果として操作性の向上を図ることが可能となる。
【００４３】
また、本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４４】
この場合、記憶媒体から読み出されたプログラムコード自体が前述した実施の形態の機能を実現することになり、そのプログラムコード及び該プログラムコードを記憶した記憶媒体は本発明を構成することになる。
【００４５】
また、コンピュータが読み出したプログラムコードを実行することにより、前述した実施の形態の機能が実現されるだけでなく、そのプログラムコードの指示に基づき、コンピュータ上で稼働しているオペレーティングシステム(ＯＳ)などが実際の処理の一部または全部を行い、その処理によって前述した実施の形態の機能が実現される場合も含まれることは言うまでもない。
【００４６】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施の形態の機能が実現される場合も含まれることは言うまでもない。
【００４７】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００４８】
プログラムを供給する記録媒体としては、例えば、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等を用いることができる。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００４９】
【図１】本発明の実施の形態である電子撮像装置の構成を示すブロック図である。
【図２】カメラカード記録モードで複数の画像サイズの中から撮影者が選択した画像サイズが液晶パネル１０６ｂにどのように表示されるのかを示す図であり、（Ａ）は液晶パネル１０６ｂに表示されるオリジナル画像の一例を示し、（Ｂ）は選択メニューから選択された記録画像サイズを液晶パネル１０６ｂに表示した場合の一例を示し、（Ｃ）は一定時間経過後、選択された記録画像サイズの大きさに関係なく、再度オリジナル画像を液晶パネル１０６ｂに表示する例を示す。
【図３】カメラカード記録モードにおけるシステム制御部１０７の制御処理を示すフローチャートである。
【図４】カメラカード記録モードで複数の画像サイズの中から撮影者が選択した画像サイズが液晶パネル１０６ｂにどのように表示されるのかを示す図であり、図２の変形例である。（Ａ）は液晶パネル１０６ｂに表示されるオリジナル画像の一例を示し、（Ｂ）は選択メニューから選択された記録画像サイズを表示するときに、オリジナル画像と選択メニューから選択された記録画像サイズとを同時に液晶パネル１０６ｂに表示する例を示す。
【図５】従来の電子撮像装置において、カメラカード記録モードで複数の画像サイズの中から撮影者が選択した画像サイズが液晶パネルにどのように表示されるのかを示す図であり、（Ａ）は液晶パネルに表示されるオリジナル画像の一例を示し、（Ｂ）はオリジナル画像と記録画像サイズとを同時に液晶パネルに表示する例を示す。
【符号の説明】
【００５０】
１０１  レンズ
１０２  撮像素子
１０３  カメラ信号処理
１０４  表示信号再生部
１０５  記録再生部
１０６  液晶部
１０６ｂ  液晶パネル
１０７  システム制御部
１０７ａ  メモリコントロール
１０７ｂ  システムコントロール
１０８  モード切替スイッチ
１０９  操作部
１１０  カード記録再生部
【図１】
2006129287.tif 000003
【図２】
2006129287.tif 000004
【図３】
2006129287.tif 000005
【図４】
2006129287.tif 000006
【図５】
2006129287.tif 000007